(57)【要約】【課題】安定した品質を保持し、かつ安全に保守点検を実施可能な電力用ガス絶縁機器を提供する。【解決手段】実施形態によれば、絶縁ガスとしてＣＯ２ガス又はＣＯ２ガスを含む混合ガス１ｂを充填した密閉容器２と、密閉容器２内に設置した１対の電気接点３，４と、を有し、通電時には電気接点３，４を接触状態に保つことで通電を行い、電流遮断時には電気接点３，４を解離させて絶縁ガス１ｂ中にアーク放電６を発生させ、絶縁ガス１ｂがアーク放電６により熱ガスとなり、そのアーク放電６を消弧することで電流を遮断するように構成された電力用ガス絶縁機器である。この電力用ガス絶縁機器は、密閉容器２内の前記熱ガス９ａ２が接触する位置に、Ｏ原子を放出する酸素放出部材としてのアブレーション素子１４を設置している。【選択図】図１
2014146515.tif 000002
【特許請求の範囲】
【請求項１】
絶縁ガスとしてＣＯ２ガス又はＣＯ２ガスを含む混合ガスを充填した密閉容器と、
前記密閉容器内に設置した１対の電気接点と、を有し、
通電時には前記電気接点を接触状態に保つことで通電を行い、電流遮断時には前記電気接点を解離させて前記絶縁ガス中にアーク放電を発生させ、前記絶縁ガスが前記アーク放電により熱ガスとなり、そのアーク放電を消弧することで電流を遮断するように構成された電力用ガス絶縁機器において、
前記密閉容器内の前記熱ガスが接触する位置に、Ｏ原子を放出する酸素放出部材を設置したことを特徴とする電力用ガス絶縁機器。
【請求項２】
前記酸素放出部材は、Ｏ原子を含むアブレーション素子であって、このアブレーション素子を前記熱ガスが発生する範囲内に配置したことを特徴とする請求項１に記載の電力用ガス絶縁機器。
【請求項３】
前記酸素放出部材は、Ｏ２ガスを予め吸着させた合成ゼオライトであることを特徴とする請求項１に記載の電力用ガス絶縁機器。
【請求項４】
前記電気接点は、
固定接触部と、
前記固定接触部に対して同軸上に対向して接離可能に配置され、前記電流遮断時に前記固定接触部との間に前記アーク放電を発生させる可動接触部と、を有し、
前記可動接触部に前記アーク放電を囲むように配置され、前記アーク放電に前記絶縁ガスを吹き付ける絶縁ノズルを設け、
前記絶縁ノズルを前記酸素放出部材としたことを特徴とする請求項１に記載の電力用ガス絶縁機器。
【発明の詳細な説明】
【技術分野】
【０００１】
本発明の実施形態は、六フッ化イオウガス（以下、ＳＦ６ガスという。）の代わりにＣＯ２ガスを含む絶縁ガスを用いた電力用ガス絶縁機器に関する。
【背景技術】
【０００２】
電力の送配電システム及び変電システムでは、高電圧の絶縁媒体としてＳＦ６ガスを利用したガス絶縁開閉装置、ガス遮断器、ガス断路器、ガス絶縁変圧器、ガス絶縁送電管などの様々なガス絶縁機器が使用されている。これらのガス絶縁機器において、ＳＦ６ガスは、高電圧の絶縁媒体として機能させるだけではなく、通電時の発熱を対流により冷却する冷却媒体としても機能させている。また、上記ガス遮断器、ガス断路器などのように電流の開閉を行う機器において、ＳＦ６ガスは、開閉動作時に発生するアーク放電を消滅させる消弧媒体としても機能させている。
【０００３】
ＳＦ６ガスは、非常に安定した不活性なガスであり、無毒、不燃性である。また、ＳＦ６ガスは、電気絶縁性能、放電を消滅させる性能（以下、消弧性能という。）に極めて優れたガスである。そのため、ＳＦ６ガスは、送配電機器及び変電機器の高性能化、コンパクト化に大きく貢献している。
【０００４】
このようにＳＦ６ガスは、特に高電圧用の送配電機器及び変電用機器において非常に適したガスといえる。しかしながら、ＳＦ６ガスは、高い地球温暖化作用を有することが知られており、近年その使用量の削減が望まれている。具体的には、地球温暖化作用の大きさは、一般に地球温暖化係数、すなわちＣＯ２ガスを１とした場合の相対値により表され、ＳＦ６ガスの地球温暖化係数は２３，９００に及ぶことが知られている。
【０００５】
そのため、送配電機器及び変電用機器における絶縁ガスとしてＳＦ６の代わりにＣＯ２ガスを適用することが提案されている（非特許文献１参照）。このＣＯ２ガスは、地球温暖化作用がＳＦ６ガスに比べて２３，９００分の１と非常に小さい。そのため、ＳＦ６ガスの代わりにＣＯ２ガスを送配電機器及び変電用機器に適用することで、地球温暖化への影響を大幅に抑制することが可能となる。その反面、ＣＯ２ガスは、絶縁性能及び消弧性能がＳＦ６ガスに比べると劣る。
【０００６】
しかしながら、ＣＯ２ガスは、ＳＦ６ガスが電力用ガス絶縁機器に適用される以前に絶縁媒体、消弧媒体として主に使用していた空気に比べると消弧性能は極めて優れており、また絶縁性能も同等かそれ以上であることが知られている。したがって、ＣＯ２ガスをＳＦ６ガスの代わりに適用することで、概ね良好な性能を有し、かつ地球温暖化への影響を抑制した環境に優しい送配電機器及び変電用機器を提供することが可能である。
【先行技術文献】
【非特許文献】
【０００７】
【非特許文献１】内井、河野、中本、溝口、「消弧媒体としてのＣＯ２ガスの基礎特性と実規模モデル遮断器による熱的遮断性能の検証」、電気学会論文Ｂ、１２４巻、３号、ｐｐ．４６９〜４７５、２００４年発行
【発明の概要】
【発明が解決しようとする課題】
【０００８】
ところで、ガス遮断器又はガス断路器などのように、その機能として電流の開閉を行う機器は、その電流開閉動作に伴い必然的に密閉容器内でアーク放電が発生する。
【０００９】
密閉容器内でアーク放電が発生した場合、密閉容器内に充填したガスは、放電過程でプラズマ化し、分子の解離、再結合が生じる。従来、変電機器に使用されているＳＦ６ガスは、非常に安定した分子構造である。そのため、ＳＦ６ガスは、放電により一旦分子が解離しても、通常の環境では、そのほとんどが元のＳＦ６分子へと再結合することが知られている。
【００１０】
しかしながら、微量ではあるが解離したＳ（イオウ）原子やＦ（フッ素）原子は、ガス中に残留する。その上、従来のガス遮断器の多くは、絶縁ノズルの素材にＦで構成されたポリテトラフルオロエチレン（ＰＴＦＥ）を使用している。そのため、絶縁ノズルのアブレーション（材料の表面が蒸発、侵食によって分解する現象）によりＦが余計に発生する。この発生したＦと密閉容器内に微量に存在する水分の解離によって生成されるＨ（水素）とが結合し、分解ガスとして有毒であり、かつ金属や絶縁物を侵す可能性のあるフッ化水素ＨＦが発生することが知られている。そのため、現状では、密閉容器内に合成ゼオライトを設置し、この合成ゼオライトを用いて上記ＨＦを選択的に吸着し分離している。
【００１１】
また、絶縁ガスとしてＳＦ６ガスの代わりにＣＯ２ガスを適用しても、上記のような絶縁ノズルを使用する場合、ＣＯ２ガス遮断器（ＣＯ２ＧＣＢ）は、図７に示すようにＳＦ６ガス遮断器（ＳＦ６ＧＣＢ）と比較すると、ＨＦ発生量は減少するものの、それでもＨＦは残存することになる。
【００１２】
さらに、アーク放電により解離したＣＯ２は、元のＣＯ２に再結合し難いという課題も生じている。特に、大電流アーク放電の発生に伴いＣＯ２分子は、Ｃ（炭素）原子及びＯ（酸素）原子に解離するものの、発生したＯは密閉容器内の例えば銅や鉄などの金属と酸化反応することが考えられ、分解ガスとして有毒ガスであるＣＯが残存してしまう可能性がある。
【００１３】
仮に、ＣＯが残存しているとすると、ガス遮断器などのように電流の開閉を行うＣＯ２ガス絶縁機器の内部点検時に充填ガスを大気開放するとき、点検作業員がＣＯを吸気する可能性がある。現状では、その対処法として排出場所や排出方向を限定するか、又はガスを回収しなければならず、ガス交換や保守点検の作業効率がＳＦ６ガス遮断器と比較して改善されないという課題が生じている。
【００１４】
また、合成ゼオライトを使用することで、電流の開閉後の充填ガス中に浮遊しているＨＦに対しては、吸着及び分離することが可能である。しかしながら、金属や絶縁物、アーク接触子などの構成部品の表面近傍に局所的に残留している高濃度のＨＦは、上記合成ゼオライトでは吸着することができず、金属類を侵食してしまっているという問題点がある。
【００１５】
本発明の実施形態は、このような事情を考慮してなされたもので、安定した品質を保持し、かつ安全に保守点検を実施可能な電力用ガス絶縁機器を提供することを目的とする。
【課題を解決するための手段】
【００１６】
上記目的を達成するために、本発明の実施形態に係る電力用ガス絶縁機器は、絶縁ガスとしてＣＯ２ガス又はＣＯ２ガスを含む混合ガスを充填した密閉容器と、前記密閉容器内に設置した１対の電気接点と、を有し、通電時には前記電気接点を接触状態に保つことで通電を行い、電流遮断時には前記電気接点を解離させて前記絶縁ガス中にアーク放電を発生させ、前記絶縁ガスが前記アーク放電により熱ガスとなり、そのアーク放電を消弧することで電流を遮断するように構成された電力用ガス絶縁機器において、前記密閉容器内の前記熱ガスが接触する位置に、Ｏ原子を放出する酸素放出部材を設置したことを特徴とする。
【発明の効果】
【００１７】
本発明の実施形態によれば、安定した電力用ガス絶縁機器の品質を保持し、かつ安全に保守点検を実施することができる。
【図面の簡単な説明】
【００１８】
【図１】本発明に係る電力用ガス絶縁機器の第１実施形態を示す縦断面図である。
【図２】図１のアブレーション技術を用いたＣＯの酸化過程を示す説明図である。
【図３】本発明に係る電力用ガス絶縁機器の第２実施形態を示す縦断面図である。
【図４】第２実施形態において合成ゼオライトに吸着されたＯ２ガス分子を示す拡大断面図である。
【図５】第２実施形態において酸素吸着済の合成ゼオライトによるＣＯの酸化過程を示す説明図である。
【図６】本発明に係る電力用ガス絶縁機器の第３実施形態を示す縦断面図である。
【図７】ＳＦ６ガス遮断器及びＣＯ２ガス遮断器の電流遮断後のＨＦ発生量を比較して示すグラフである。
【発明を実施するための形態】
【００１９】
以下に、本発明に係る電力用ガス絶縁機器の実施形態について、図面を参照して説明する。
【００２０】
（第１実施形態）
（構  成）
図１は本発明に係る電力用ガス絶縁機器の第１実施形態を示す縦断面図である。図２は図１のアブレーション技術を用いたＣＯの酸化過程を示す説明図である。図１は電流遮断動作中の状態を示している。本実施形態は、電力用ガス絶縁機器として、高電圧系統において事故電流を遮断するために使用されているパッファ形ガス遮断器に適用した例を示している。図１に示す各部品は、基本的に図１の左右方向に延びる中心軸（図示せず）の周りに軸対称な同軸円筒形状である。
【００２１】
図１に示すように、密閉容器２は、金属又は碍子などから構成され、接地されている。密閉容器２内には、絶縁ガス１ｂが充填されている。この絶縁ガス１ｂは、ＣＯ２ガス単体、又はＣＯ２ガスを含む混合ガスである。具体的には、この混合ガスは、ＣＯ２ガスを主体として例えばメタンガス、窒素ガスなどの環境調和型のガスが混合される。
【００２２】
密閉容器２内には、１対の電気接点としての固定接触部３と可動接触部４が対向して配置されている。可動接触部４は、密閉容器２に対して絶縁支持されて、固定接触部３に対して移動可能である。固定接触部３は、密閉容器２内に絶縁固定され、固定通電部３ａ、固定アーク接触子３ｂなどで構成されている。可動接触部４は、絶縁ノズル４ａ、可動アーク接触子４ｂ、通電接触子４ｃ、及びパッファシリンダ４ｄが駆動ロッド４ｅに取り付けられている。
【００２３】
固定接触部３及び可動接触部４を流れる電流は、それぞれ通電導体１０と図示しないブッシングを介して外部に引き出される。各通電導体１０は、スペーサ１１により絶縁支持されると同時に、密閉容器２内のガス空間は、そのスペーサ１１により区分される。可動接触部４は、その駆動ロッド４ｅが図示しない絶縁操作棒を介して駆動装置８内の可動部に連結されている。これにより、駆動装置８を駆動することで、上記絶縁操作棒を介し可動接触部４は固定接触部３に対して軸方向相対移動により接離可能となる。
【００２４】
固定アーク接触子３ｂ及び可動アーク接触子４ｂは、遮断器投入時では接触導通状態にある。また、電流遮断動作時では、軸方向相対移動により開離するとともに、両アーク接触子３ｂ，４ｂ間にアーク放電６が発生する。そのため、絶縁ノズル４ａは、耐アーク性の高い絶縁物であるポリテトラフルオロエチレン（ＰＴＦＥ）を主体に構成されている。
【００２５】
具体的に、上記電流遮断動作時は、常時固定状態にあるピストン５がパッファシリンダ４ｄの内部空間を圧縮してパッファシリンダ４ｄ内の圧力を上昇させる。そして、パッファシリンダ４ｄ内に存在する絶縁ガス１ｂが高圧力のガス流９ａ１（矢印左方向）となる。このガス流９ａ１は、絶縁ノズル４ａによって整流されて、両アーク接触子３ｂ，４ｂ間に発生したアーク放電６に対して強力に吹き付けられる。
【００２６】
これにより、両アーク接触子３ｂ，４ｂ間に発生した導電性のアーク放電６は、消滅して電流は遮断される。アーク放電６に吹き付けられたガス流９ａ１は、高温状態となり、固定側熱ガス流９ｂ及び可動側熱ガス流９ａ２（矢印右方向）として両アーク接触子３ｂ，４ｂ間の空間から遠ざかるように流れ、最終的には密閉容器２内に放散される。
【００２７】
パッファシリンダ４ｄの圧力上昇は、ピストン５による機械的圧縮だけでなく、アーク放電６からの熱エネルギーを積極的にパッファシリンダ４ｄ内に取り込むことによりもたらされる。本実施形態では、図１に示すように絶縁ノズル４ａと可動アーク接触子４ｂとの間を流れる可動側熱ガス流９ａ２が連通孔４ｆを通ってパッファシリンダ４ｄ内に取り込まれ、同部の圧力上昇に寄与する。
【００２８】
本実施形態では、アーク放電６により発生する可動側熱ガス流９ａ２が接触する部分、例えばピストン５の前面に、構成原子にＯを含む酸素放出部材としてのアブレーション素子１４が設置されている。このアブレーション素子１４は、可動側熱ガス流９ａ２と接触する面から１ｎｍの範囲において、存在するＯの原子数がアーク放電６により発生するＣＯの分子数とほぼ同程度以上となるように設置されている。
【００２９】
アブレーション素子１４は、円環平板状に形成され、ピストン５の前面に埋設されている。アブレーション素子１４は、ピストン５にねじ込まれて着脱自在に設けられている。アブレーション素子１４は、通常電流遮断動作が１０回程度で新規なものと交換可能な厚さに形成されている。
【００３０】
アブレーション素子１４の材料としては、例えばポリイミド、ポリアセタール、ポリアミド、ポリカーボネット、変性ポリフェニレンエーテル、ポリブチレンテレフタレート、ＧＦ（Glass Fiber）強化ポリブチレンテレフタレート、シンジオタクチックポリスチレン、非晶ポリアリレート、ポリスルホン、ポリエーテルサルフォン、ポリエーテルエーテルケトン、ポリエーテルイミド、液晶ポリマー、ニトロセルロース、ニトログリセリン、硝酸アンモニウム、過塩素酸アンモニウム、ポリエステル、ポリウレタン、ポリエチレンテレフタラート、メタクリル樹脂、ポリビニルアルコールなどが挙げられる。
【００３１】
なお、本実施形態では、アブレーション素子１４の材料として上記の材料を挙げたが、これ以外に例えば、酸化銅や酸化鉄などの金属であってもよい。
【００３２】
（作  用）
次に、本実施形態の作用を説明する。
【００３３】
前述した通り、ＣＯ２ガス中でアーク放電６が生じた場合、本来絶縁ガスとして存在すべきＣＯ２ガスの量が減少し、代わりに分解ガスであるＣＯが増大するため、内部点検などの充填ガス開放時に人体に危険を及ぼす可能性がある。
【００３４】
しかしながら、本実施形態は、上記のようにアーク放電６により発生する可動側熱ガス流９ａ２が接触するピストン５の前面に、構成原子にＯを含むアブレーション素子１４を設置することで、その課題は解消される。
【００３５】
以下に、その理由を図２に基づいて説明する。
【００３６】
なお、本実施形態では、例えば固定アーク接触子３ｂを銅（Ｃｕ）製とし、可動アーク接触子４ｂを鉄（Ｆｅ）製とする。
【００３７】
通常運転時では、図２の左上図に示すように固定アーク接触子３ｂと可動アーク接触子４ｂは、接触導通状態にある。そして、電流遮断動作時は、図２の右上図に示すように軸方向相対移動により開離するとともに、固定アーク接触子３ｂと可動アーク接触子４ｂとの間の空間にアーク放電６が発生する。これにより、絶縁ガス１ｂであるＣＯ２ガスはＣとＯに解離する。
【００３８】
次いで、図２の右下図に示すようにＯは、消弧室に使用している金属類、特に固定アーク接触子３ｂの銅や可動アーク接触子４ｂの鉄を酸化させ、ＣｕＯやＦｅＯなどの酸化物となる。このため、ガス中にはＣＯが取り残されることとなる。
【００３９】
そこで、熱ガスである可動側熱ガス流９ａ２を必ず接触させることが可能なピストン５の前面にアブレーション素子１４を設置しておくことで、このアブレーション素子１４は、可動側熱ガス流９ａ２により気化する温度まで加熱されてＯを放出する。この発生したＯは、アーク放電６により残留したＣＯと結合し、元の充填ガスであるＣＯ２に戻る。
【００４０】
アブレーション素子１４は、可動側熱ガス流９ａ２と接触する面から１ｎｍという必ず気化する領域に、存在するＯ原子の数が密閉容器２内で発生するＣＯ分子の数とほぼ同程度以上となるように設置しているため、発生したＣＯはほとんどＣＯ２に戻ることが可能である。
【００４１】
（効  果）
このように本実施形態によれば、絶縁ガス１ｂにＣＯ２ガスを適用した環境調和型のガス絶縁開閉機器において、可動側熱ガス流９ａ２が接触する位置にアブレーション素子１４を設置したことにより、機器の保守点検を安全に実施することができ、コンパクト化及び安定した品質の機器を提供することが可能となる。
【００４２】
（第２実施形態）
（構  成）
図３は本発明に係る電力用ガス絶縁機器の第２実施形態を示す縦断面図である。図４は第２実施形態において合成ゼオライトに吸着されたＯ２ガス分子を示す拡大断面図である。図５は第２実施形態において酸素吸着済の合成ゼオライトによるＣＯの酸化過程を示す説明図である。
【００４３】
なお、以下の実施形態では、前記第１実施形態と同一の部分には、同一の符号を付して、前記第１実施形態と異なる構成及び作用のみを説明する。
【００４４】
図３に示すように、密閉容器２内に充填する絶縁ガス１ｂは、前記第１実施形態と同様にＣＯ２ガス単体、又はＣＯ２ガスを主体とした混合ガスとする。
【００４５】
また、本実施形態は、アーク放電６により発生する熱ガスである固定側熱ガス流９ｂが接触する位置に、図４のようにあらかじめＯ２を吸着させておいた酸素放出部材としての合成ゼオライト１２が設置されている。
【００４６】
具体的には、密閉容器２内において固定側熱ガス流９ｂが接触する位置に通気ケース１３が設置されている。この通気ケース１３内には、あらかじめＯ２を吸着させた合成ゼオライト１２が収納されている。この合成ゼオライト１２に吸着させておくＯ２分子の数は、アーク放電６により発生するＣＯの数より十分に多いことが望ましい。
【００４７】
（作  用）
本実施形態においても、前記第１実施形態と同様な作用を得ることができる。以下に、その理由を図５に基づいて説明する。
【００４８】
通常運転時では、前記第１実施形態と同様に図５の左上図に示すように固定アーク接触子３ｂと可動アーク接触子４ｂは、接触導通状態にある。そして、電流遮断動作時は、図５の右上図に示すように軸方向相対移動により開離するとともに、固定アーク接触子３ｂと可動アーク接触子４ｂとの間の空間にアーク放電６が発生する。これにより、絶縁ガス１ｂであるＣＯ２ガスはＣとＯに解離する。
【００４９】
次いで、図５の右下図に示すようにＯは、消弧室に使用している金属類、特に固定アーク接触子３ｂの銅や可動アーク接触子４ｂの鉄を酸化させ、ＣｕＯやＦｅＯなどの酸化物なる。このためガス中にはＣＯが取り残されることとなる。そこに、熱ガスである固定側熱ガス流９ｂが必ず接触する位置に、あらかじめＯ原子を吸着させておいた合成ゼオライト１２を設置しておく。
【００５０】
すると、固定側熱ガス流９ｂが合成ゼオライト１２に到達すると、吸着されているＯ２分子は解離し、多数のＯ原子をガス中に拡散させる。この拡散したＯ原子は、アーク放電６により発生したＣＯと結合し、元の充填ガスであるＣＯ２に戻る。
【００５１】
なお、前記第１実施形態と同様にあらかじめ合成ゼオライト１２に吸着させておくＯ２の数をアーク放電６により発生するＣＯ分子の数より十分に多くなるように設置しているため、発生したＣＯはほとんどＣＯ２に戻ることが可能である。
【００５２】
（効  果）
このように本実施形態によれば、固定側熱ガス流９ｂが接触する位置にあらかじめＯ原子を吸着させておいた合成ゼオライト１２を設置しておくことで、前記第１実施形態と同様に、機器の保守点検を安全に実施することができ、コンパクト化及び安定した品質の機器を提供することが可能となる。
【００５３】
（第３実施形態）
（構  成）
図６は本発明に係る電力用ガス絶縁機器の第３実施形態を示す縦断面図である。
【００５４】
図６に示すように、密閉容器２内に充填する絶縁ガス１ｂは、前記第１実施形態と同様にＣＯ２ガス単体、又はＣＯ２ガスを主体とした混合ガスとする。
【００５５】
また、本実施形態は、従来のガス遮断器で使用している絶縁ノズル４ａの代わりに、Ｏを含む酸素放出部材としてのアブレーションノズル１５が設置されている。アブレーションノズル１５の素材には、Ｏが多く含まれるほうが好ましい。
【００５６】
アブレーションノズル１５の材料としては、前記第１実施形態と同様に例えばポリイミド、ポリアセタール、ポリアミド、ポリカーボネット、変性ポリフェニレンエーテル、ポリブチレンテレフタレート、ＧＦ（Glass Fiber）強化ポリブチレンテレフタレート、シンジオタクチックポリスチレン、非晶ポリアリレート、ポリスルホン、ポリエーテルサルフォン、ポリエーテルエーテルケトン、ポリエーテルイミド、液晶ポリマー、ニトロセルロース、ニトログリセリン、硝酸アンモニウム、過塩素酸アンモニウム、ポリエステル、ポリウレタン、ポリエチレンテレフタラート、メタクリル樹脂、ポリビニルアルコールなどが挙げられる。
【００５７】
ところで、アブレーションノズル１５は、アーク放電６や熱ガスに晒されるため、融点の低い材料は耐久性の面から使用することができない。上記材料のうち、ポリエチレンテレフタラート、ポリエステルが使用することができない。
【００５８】
したがって、本実施形態では、熱ガスである可動側熱ガス流９ａ２がアブレーションノズル１５に必ず接触する。このとき、アブレーションノズル１５は、可動側熱ガス流９ａ２により気化する温度まで加熱されてＯを放出する。この発生したＯは、アーク放電６により残留したＣＯと結合し、元の充填ガスであるＣＯ２に戻る。
【００５９】
このように本実施形態でも、Ｏを含むアブレーションノズル１５が設置したことにより、前記第１実施形態と同様と同様な効果を得ることができる。
【００６０】
（その他の実施形態）
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これらの実施形態やその変形例は、発明の範囲や要旨に含まれるとともに、特許請求の範囲に記載された発明とその均等の範囲に含まれる。
【００６１】
例えば、上記各実施形態では、電力用ガス絶縁機器としてパッファ形ガス遮断器を例に挙げて説明したが、これ以外に、例えばガス絶縁変圧器、ガス絶縁断路器などのガス絶縁開閉器、ガス絶縁避雷器、およびガス絶縁送電管などにも適用可能である。
【００６２】
また、上記第１実施形態では、アブレーション素子１４をピストン５の前面に設置した例について説明したが、これに限らず、例えばパッファシリンダ４ｄの内外周面、駆動ロッド４ｅの内周面、連通孔４ｆを形成したフランジの内面に設置しても同様の効果が得られる。
【符号の説明】
【００６３】
１ｂ…絶縁ガス（ＣＯ２ガス又はＣＯ２を主体とした混合ガス）、２…密閉容器、３…固定接触部（電気接点）、３ａ…固定通電部、３ｂ…固定アーク接触子、４…可動接触部（電気接点）、４ａ…絶縁ノズル、４ｂ…可動アーク接触子、４ｃ…通電接触子、４ｄ…パッファシリンダ、４ｅ…駆動ロッド、４ｆ…連通孔、５…ピストン、６…アーク放電、７…支持絶縁物、８…駆動装置、９ａ１…ガス流、９ａ２…可動側熱ガス流、９ｂ…固定側熱ガス流、１０…通電導体、１１…絶縁スペーサ、１２…合成ゼオライト（酸素放出部材）、１３…通気ケース、１４…アブレーション素子（酸素放出部材）、１５…アブレーションノズル（酸素放出部材）
【図１】
2014146515.tif 000003
【図２】
2014146515.tif 000004
【図３】
2014146515.tif 000005
【図４】
2014146515.tif 000006
【図５】
2014146515.tif 000007
【図６】
2014146515.tif 000008
【図７】
2014146515.tif 000009